(57)【要約】【課題】パーティション上端と天井との間が開いた個室からたばこの煙などが直接外に漏れず、しかも個室の多様化に容易に対応出来るコーナー設置型空気清浄機を提供する。【解決手段】上端開口の個室５のコーナー５ａに設置した機体６に水平方向目つ扇状にエアーを吹き出すエアーカーテン吹出口７を設け、これからの扇状エアーカーテン８にて個室５を天井側外空間９と居室空間１０とに分けて、この居室空間１０に臨むエアー吸込口１１および天井側外空間９に臨むエアー吹出口１２を機体６に設け、さらに、エアー吸込口１１とエアーカーテン吹出口７及びエアー吹出口１２との間に位置する機体６内に空気清浄機１３及び送風機１４を設けてなり、エアー吹出口１２からのエアー量（Ｑ１）を扇状エアーカーテン８が天井側外空間９から巻き込む空気量（Ｑ２）よりも大（Ｑ１＞Ｑ２）に設定して、居室空間１０内を負圧域にすることで、上記課題を達成する。【選択図】図１
2009216370.tif 000002
【特許請求の範囲】
【請求項１】
部屋をその天井面とパーティション上端とを開けた状態で、前記パーティションにて１以上の個室とし、該個室のコーナー部に設置した機体に水平方向且つ扇状にエアーを吹き出すエアーカーテン吹出口を設け、該エアーカーテン吹出口からの扇状エアーカーテンにて前記個室を天井側外空間と居室空間とに分けて、前記居室空間に臨む前記機体にエアー吸込口を設けると共に、前記天井側外空間に臨む前記機体にエアー吹出口を設け、さらに、前記エアー吸込口と前記エアーカーテン吹出口及び前記エアー吹出口との間に位置する前記機体内に空気清浄機及び送風機を設けてなり、前記エアー吹出口からのエアー量（Ｑ１）を扇状エアーカーテンが前記天井側外空間から巻き込む空気量（Ｑ２）よりも大（Ｑ１＞Ｑ２）に設定して、前記居室空間内を負圧域にすることを特徴とするコーナー設置型空気清浄機。
【請求項２】
前記空気清浄機よりも下流で前記エアーカーテン吹出口及び前記エアー吹出口よりも上流に位置する前記機体内に、除菌イオン発生器を設けた請求項１記載のコーナー設置型空気清浄機。
【発明の詳細な説明】
【技術分野】
【０００１】  本発明は、部屋をパーティションにて仕切り簡易的に個室化し、そのコーナー部に設置するもので、その個室内で発生した汚染ガスの清浄化を図ると共に、他の個室に汚染ガスの影響を及ぼすことがないようにしたコーナー設置型空気清浄機に関する。
【背景技術】
【０００２】  飲食店舗において、少人数で他人の目を気にせず、食事やお酒を楽しみたいという客の要望から、店舗内を簡易的にパーティションなどで区切り個室化する傾向にある。これら各個室５０は、図６に示すように、パーティション５１を天井５２まで設置しないで、各個室５０に消防法による火災報知器やスプリンクラーを設置する義務を免れている。したがって、各個室５０はパーティション５１上端と天井５２との間が開いているから、他人の目線を遮ることは出来ても、例えば、喫煙に伴うたばこの煙を遮ることは出来ない。【０００３】  このような観点から、個室からのたばこの煙を遮るには、パーティション上部をエアーカーテンにて気流的に塞ぐことが考えられる。このような技術として、本出願人による以下のものが知られている。
【特許文献１】特開２００４−３４７３０９号公報
【０００４】  特許文献１のエアーカーテン装置６０は、図７、８に示すように、矩形状の無天蓋ユニット室６１の側壁６２上部に設けられ、エアーカーテン吹出口６３から無天蓋ユニット室６１の長手方向にエアーカーテン６４を吹き出して、上部開口６５を塞ぐものである。このエアーカーテン装置６０には、プレフィルタ、電気集麈機および脱臭フィルタからなる空気清浄機と、送風機とが内蔵され、エアー吸込口６６から吸い込んだエアーを清浄化し、エアーカーテン吹出口６３およびエアー吹出口６７から清浄化エアーを吹き出すものである。そして、エアーカーテン６４により外部エアーを巻き込む量よりもエアー吹出口６７から吹き出す清浄化エアー量を多くなるように設定しているから、無天蓋ユニット室６１内が負圧域となり、たばこの煙などが直接外部に漏れることがないものである。
【発明の開示】
【発明が解決しようとする課題】
【０００５】  上記した特許文献１のエアーカーテン装置６０は、矩形状の無天蓋ユニット室６１内が負圧域になり、無天蓋ユニット室６１内を喫煙所とした場合たばこの煙が外に出ることがなく、エアー吹出口６７およびエアーカーテン吹出口６３からのエアーは空気清浄機により清浄化している点で都合良い。しかしながら、矩形状の無天蓋ユニット室６１の上部開口６５をエアーカーテン６４にて塞ぐには、無天蓋ユニット室６１の一辺と同じ幅のエアーカーテン６４が必要となる。これには、エアーカーテン装置６０のエアーカーテン吹出口６３の幅寸法が無天蓋ユニット室６１の一辺とほぼ同じであることが要求されることになる。したがって、店舗内を簡易的にパーティションなどで区切り個室化する場合、様々な幅寸法のエアーカーテン吹出口６３を有するエアーカーテン装置６０が必要となって、その対応に苦慮することになる。【０００６】  そこで、本発明は、上記事情に鑑みてなされたもので、個室化するためのパーティションの上端と天井との間が空いていても、各個室内からエアーと共にたばこの煙などが直接外に漏れず、しかも個室の形状の多様化に対応することが容易なコーナー設置型空気清浄機を提供することを課題とする。
【課題を解決するための手段】
【０００７】  本発明は、上記課題を達成するために提案されたものであって、下記の構成からなることを特徴とするものである。
すなわち、請求項１記載のコーナー設置型空気清浄機は、部屋をその天井面とパーティション上端とを開けた状態で、前記パーティションにて１以上の個室とし、該個室のコーナー部に設置した機体に水平方向且つ扇状にエアーを吹き出すエアーカーテン吹出口を設け、該エアーカーテン吹出口からの扇状エアーカーテンにて前記個室を天井側外空間と居室空間とに分けて、前記居室空間に臨む前記機体にエアー吸込口を設けると共に、前記天井側外空間に臨む前記機体にエアー吹出口を設け、さらに、前記エアー吸込口と前記エアーカーテン吹出口及び前記エアー吹出口との間に位置する前記機体内に空気清浄機及び送風機を設けてなり、前記エアー吹出口からのエアー量（Ｑ１）を扇状エアーカーテンが前記天井側外空間から巻き込む空気量（Ｑ２）よりも大（Ｑ１＞Ｑ２）に設定して、前記居室空間内を負圧域にすることを特徴とする。【０００８】  請求項２記載のコーナー設置型空気清浄機は、前記空気清浄機よりも下流で前記エアーカーテン吹出口及び前記エアー吹出口よりも上流に位置する前記機体内に、除菌イオン発生器を設けたことを特徴とする。
【発明の効果】
【０００９】  本発明によれば、以下のような効果がある。
請求項１記載のコーナー設置型空気清浄機は、送風機を駆動させ個室の居室空間に臨むエアー吸込口からエアーを吸い込み、空気清浄機により清浄化エアーにしてから、その清浄化エアーを個室の天井側外空間に臨むエアー吹出口からエアーを吹き出すと共に、個室のコーナー部に位置するエアーカーテン吹出口から、扇状エアーカーテンを水平方向に吹き出して、個室を居室空間と天井側外空間とに分け、エアー吹出口からの吹出エアー量（Ｑ１）を扇状エアーカーテンの外部巻込空気量（Ｑ２）よりも大（Ｑ１＞Ｑ２）に設定してあるから、居室空間内が負圧域となる。したがって、個室化するためのパーティションの上端と部屋の天井との間が開いていても、各個室内からエアーと共にたばこの煙などが直接外部に漏れず、しかも個室のコーナー部設置であるため、個室の形状の多様化に対応することが容易となる効果がある。【００１０】  請求項２記載のコーナー設置型空気清浄機は、除菌イオン発生器により機体内の清浄化エアーに除菌イオンを放出し、除菌イオン含有の清浄化エアーとして、エアー吹出口およびエアーカーテン吹出口から吹き出す。したがって、上記の効果に加えて、除菌イオンによる効果も期待できる。
【発明を実施するための最良の形態】
【００１１】  以下に、図面を参照して本発明を実施するための最良の形態を説明する。
【実施例１】
【００１２】  図１は本発明の実施の形態を示すコーナー設置型空気清浄機を個室のコーナーに設置した状態の側面図、図２は図１のコーナー設置型空気清浄機を個室のコーナーに設置した状態の平面図、図３は図１のコーナー設置型空気清浄機の平面図、図４は図３のＩＶ−ＩＶ線に沿う断面図、図５は図１のコーナー設置型空気清浄機の底面図である。図面において、コーナー設置型空気清浄機１は、部屋２をその天井面３とパーティション４の上端４ａとを開けた状態で、パーティション４にて１以上の個室５とし、この個室５のコーナー部５ａに設置した機体６に水平方向且つ扇状にエアーを吹き出すエアーカーテン吹出口７を設け、このエアーカーテン吹出口７からの扇状エアーカーテン８にて個室５を天井側外空間９と居室空間１０とに分けて、この居室空間１０に臨む機体６にエアー吸込口１１を設けると共に、天井側外空間９に臨む機体６にエアー吹出口１２を設け、さらに、エアー吸込口１１とエアーカーテン吹出口７及びエアー吹出口１２との間に位置する機体６内に空気清浄機１３及び送風機１４を設けてなり、エアー吹出口１２からのエアー量（Ｑ１）を扇状エアーカーテン８が天井側外空間９から巻き込む空気量（Ｑ２）よりも大（Ｑ１＞Ｑ２）に設定して、居室空間１０内を負圧域にするものである。【００１３】  前記コーナー設置型空気清浄機１は、部屋２をパーティション４にて１以上の個室５とし、その個室５のコーナー部５ａ、すなわち、パーティション４の角の上部に設置することになる。個室５の形状が矩形であれば、個室５のコーナー部５ａは合計で４箇所あることになるが、いずれのコーナー部５ａであっても良く、この設置状況は部屋２、例えば、飲食店舗の条件により決まるもので、図１、２に限定されない。【００１４】  前記機体６は、円盤状箱体を１／４にカットした扇状をなし、機体６の扇形底板２０に前記エアー吸込口１１が設けられ、機体６の扇形上板２１に前記エアー吹出口１２が設けられて、さらに、機体６の円曲側面板２２にエアーカーテン吹出口７が設けられている。これらのエアー吸込口１１、エアー吹出口１２およびエアーカーテン吹出口７はパンチングメタルにて覆われ、エアーの給排気の均質化を図っている。そして、エアーカーテン吹出口７は、機体６の円曲側面板２２に角度９０度に渡りパンチングメタルの小孔の集合体として構成されているため、機体６の扇の要となる部分にある前記送風機１４からエアーを送ると、エアーカーテン吹出口７から扇状エアーカーテン８を吹き出すことになり、この扇状エアーカーテン８によって、個室５のコーナー部５ａから吹き出されたものであるにも係わらず、個室５の上部開口全体を気流的に塞ぐことが出来る。【００１５】  そして、この機体６内には、前記空気清浄機１３及び前記送風機１４が設けられ、空気清浄機１３は、ある一定の清浄化性能を有すれば特に限定がないが、エアー吸込口１１に取り付け比較的大きな粒子を除去するプレフィルター３０と、このプレフィルター３０を通過した微粒子を除去する電気集塵機３１と、臭気などの汚染ガスを吸着する吸着フィルタ３２とからなる。【００１６】  送風機１４は、エアー吹出口１２からの吹出エアー量（Ｑ１）、並びにエアーカーテ��吹出口７からの扇状エアーカーテン８量及び外部巻込み空気量（Ｑ２）を、エアー吸込口１１から吸い込みでき、且つ、エアー吹出口１２およびエアーカーテン吹出口７からの吹出エアー量（Ｑ１）及び扇状エアーカーテン８量を吹き出すことが出来るのに必要な、風量と風圧とを発生可能なものであれば、特に限定がない。【００１７】  また、除菌イオン発生器３３は、図４に示すように、前記空気清浄機１３よりも下流でエアーカーテン吹出口７及びエアー吹出口１２よりも上流に位置する機体６内に設けられている。したがって、除菌イオン発生器３３により機体６内の清浄化エアーに除菌イオンＲを放出し、除菌イオンＲ含有の清浄化エアーとして、エアー吹出口１２およびエアーカーテン吹出口７から吹き出し、除菌イオンＲの効果を享受できる。【００１８】  前記した除菌イオン発生器３３としては、例えば、両イオン発生電極の間に誘電体を挟み、一方のイオン発生電極に電圧１．５ＫＶ〜３．０ＫＶ、周波数１５ＫＨｚ〜２．５ＫＨｚの交流を印加し、他方のイオン発生電極をアースした形態のものがある。この形態では、それぞれのイオン発生電極で正のイオンであるＨ＋（Ｈ２Ｏ）ｍ、あるいは負のイオンであるＯ２−（Ｈ２Ｏ）ｎ（ｍ、ｎは整数）の構造を持つものが発生する。これらの正・負のイオンは、それぞれクラスター状をなして除菌イオンＲを構成する。この除菌イオンＲは、空気中に浮遊している菌やウイルスを取り囲み、これらの菌やウイルスの表面でこれらの正・負のクラスターイオンの反応により、ヒドロキシラジカル・ＯＨまたは過酸化水素Ｈ２Ｏ２を生成し、これらにより菌やウイルスを不活化、すなわち死滅させるのである。【００１９】  また、除菌イオン発生器３３は、例えば、水に６．０ＫＶの高電圧をかけると、水は大きなエネルギーを得て表面張力を越えて次々とレイリー分裂（静電霧化）し、２０ｎｍ（ナノメートル）前後の水に包まれた除菌イオンＲである超微細なイオンが発生する形態のものでも良い。この形態のものにより発生した超微細なイオンは、ヒドロキシラジカル・ＯＨを含みしかも水により囲まれているため長持ちし、菌やウイルスを包み込んでヒドロキシラジカル・ＯＨにより菌やウイルスを死滅させるのである。なお、上記のいずれの形態のものによる除菌イオンＲでも、菌やウイルス以外に臭気成分なども分解することが可能である。【００２０】  次に、上記構成になるコーナー設置型空気清浄機１の作動を説明する。
コーナー設置型空気清浄機１の起動スイッチをオンして、送風機１４、空気清浄機１３及び除菌イオン発生器３３に作動信号を送り、これらを作動させる。まず、送風機１４の駆動により、エアー吸込口１１から居室空間１０内のエアーを吸い込み、空気清浄機１３のプレフィルター３０により、吸込エアー中のゴミや灰などの比較的大きな粒子を除去する。このプレフィルター３０にて除去出来なかった微粒子を電気集塵機３１により除去して、さらに、臭気成分や有害ガスなどを吸着フィルタ３２により除去する。なお、電気集塵機３１の代わりに、高性能なメカニカルフィルタを使用しても良い。【００２１】  上記の通りに清浄化された吸込エアーは、さらに、除菌イオン発生器３３から放出している除菌イオンＲと混ざり、直ちに除菌作用が開始される。除菌イオンＲ含有の清浄化エアーは、エアー吹出口１２からの吹出エアーと、エアーカーテン吹出口７からの扇状エアーカーテン８とに分かれて、除菌イオンＲの効果を享受する。なお、これら吹出エアーおよび扇状エアーカーテン８は、エアー吹出口１２およびエアーカーテン吹出口７に取り付けられたパンチングメタルやハニカム整流子などにより、それらの均質性および方向性が担保されている。【００２２】  エアーカーテン吹出口７から水平方向に吹き出された扇状エアーカーテン８は、末広がりとなって、個室５を形成するパーティション４の上端４ａを気流的に塞ぎ、個室５を居室空間１０と天井側外空間９とに分ける。そして、エアー吹出口１２からの吹出エアー量（Ｑ１）は、扇状エアーカーテン８の外部巻込み空気量（Ｑ２）よりも大（Ｑ１＞Ｑ２）に設定してあるから、前記居室空間１０内を負圧域にする。このため、個室５の居室空間１０内のエアーは隣接する他の個室５に直接漏れることが無くなり、逆に、隣接する他の個室５内も負圧域になっているから、それら他の個室５内のエアーも直接他に漏れることがない。【００２３】  したがって、個室５内で喫煙しても、たばこの煙は他の個室５に漏れることなく、エアー吸込口１１から機体６内に入り、空気清浄機１３にて除去され、さらに、除菌イオンＲ含有の清浄化エアーにより除菌や脱臭もして、たばこの煙による個室５内の汚れなどの弊害を除去し、他の個室５は無論、部屋２全体の内部環境をも改善することが出来る。加えて、このコーナー設置型空気清浄機１は、個室５を構成するパーティション４のコーナー部分に設置するものであるから、部屋２、例えば、飲食店舗の模様替えにも容易に対応できる。【００２４】  以上、本発明の実施例１を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００２５】  本発明は、個室化するためのパーティションの上端と天井との間が開いていても、各個室内からエアーと共にたばこの煙などが直接外に漏れず、しかも個室の形状の多様化や模様替えに容易に対応したいような場合に、その利用可能性が極めて高くなる。
【図面の簡単な説明】
【００２６】
【図１】  本発明の実施の形態を示すコーナー設置型空気清浄機を個室のコーナーに設置した状態の側面図である（実施例１）。
【図２】  図１のコーナー設置型空気清浄機を個室のコーナーに設置した状態の平面図である（実施例１）。
【図３】  図１のコーナー設置型空気清浄機の平面図である（実施例１）。
【図４】  図３のＩＶ−ＩＶ線に沿う断面図である（実施例１）。
【図５】  図１のコーナー設置型空気清浄機の底面図である（実施例１）。
【図６】  従来例を示す側面図である。
【図７】  従来例を示す側面図である。
【図８】  従来例を示す平面図である。
【符号の説明】
【００２７】１                      コーナー設置型空気清浄機
２                      部屋
３                      天井面
４、５１                パーティション
４ａ                    上端
５、５０                個室
５ａ                    コーナー部
６                      機体
７、６３                エアーカーテン吹出口
８                      扇状エアーカーテン
９                      天井側外空間
１０                    居室空間
１１、６６              エアー吸込口
１２、６７              エアー吹出口
１３                    空気清浄機
１４                    送風機
２０                    扇形底板
２１                    扇形上板
２２                    円曲側面板
３０                    プレフィルタ
３１                    電気集塵機
３２                    吸着フィルタ
３３                    除菌イオン発生器
５２                    天井
６０                    エアーカーテン装置
６１                    無天蓋ユニット室
６２                    側壁
６４                    エアーカーテン
６５                    上部開口
Ｑ１                    吹出エアー量
Ｑ２                    外部巻込空気量
Ｒ                      除菌イオン
【図１】
2009216370.tif 000003
【図２】
2009216370.tif 000004
【図３】
2009216370.tif 000005
【図４】
2009216370.tif 000006
【図５】
2009216370.tif 000007
【図６】
2009216370.tif 000008
【図７】
2009216370.tif 000009
【図８】
2009216370.tif 000010